(57)【特許請求の範囲】
【請求項１】
室外機及び複数の室内機を備えた空気調和装置を、集中管理装置が集中管理する空気調和システムにおいて、
上記室内機の使用エネルギーの按分率を算出するために上記各室内機の運転時間の累積が個別にカウントされ、上記空気調和装置のエネルギー使用量を計量するエネルギー計量計の計量値が、集中管理装置と一若しくは複数の空気調和装置とを接続する通信線に配設された各通信アダプタにより累積され、
初期試運転時またはメンテナンス試運転時に、前記集中管理装置に設けられた累積中断スイッチが操作されることにより、上記各室内機の運転時間の累積、及び、上記空気調和装置のエネルギー使用量の累積が中断されることを特徴とする空気調和システム。
【請求項２】
上記室内機の運転時間の累積の中断は、集中管理装置と一または複数の空気調和装置とを接続する通信線に配設された各通信アダプタの系統毎に、または全ての空気調和装置に対して一括して実施されることを特徴とする請求項１に記載の空気調和システム。
【請求項３】
上記室内機の運転時間の累積の再開、及び、上記空気調和装置のエネルギー使用量の累積の再開は、集中管理装置に設けられた累積再開スイッチの操作により実施されることを特徴とする請求項１または２記載の空気調和システム。
【請求項４】
上記室内機の運転時間の累積の再開、及び、上記空気調和装置のエネルギー使用量の累積の再開は、集中管理装置に設けられた、室内機の運転時間の累積中断の時限式解除機能により実施されることを特徴とする請求項１または２記載の空気調和システム。
【請求項５】
上記室内機の運転時間の累積は、集中管理装置が全ての室内機の運転時間をカウントすることにより、または、集中管理装置と一若しくは複数の空気調和装置とを接続する通信線に配設された各通信アダプタが、自己の通信アダプタに属する系統の室内機の運転時間をカウントすることにより、または、個々の室内機が、自らの運転時間を個別にカウントすることにより実施されることを特徴とする請求項１乃至４のいずれかに記載の空気調和システム。
【請求項６】
上記エネルギー計量計からの計量値の累積の中断は、集中管理装置と一または複数の空気調和装置とを接続する通信線に配設された各通信アダプタの系統毎に、または全ての上記エネルギー計量計に対して一括して実施されることを特徴とする請求項１乃至５のいずれかに記載の空気調和システム。
【請求項７】
上記エネルギーは電力であり、上記エネルギー計量計は、空気調和装置にて使用した電力を計量する電力量計であり、上記集中管理装置は、室内機毎に電力按分率を算出することを特徴とする請求項１乃至６のいずれかに記載の空気調和システム。
【発明の詳細な説明】
【０００１】
【発明の属する技術分野】
本発明は、室外機及び複数の室内機を備えた空気調和装置を集中管理装置が集中管理するとともに、この集中管理装置が各室内機毎のエネルギー按分率を算出する空気調和システムに関する。
【０００２】
【従来の技術】
例えば、ビル等に装備される空気調和システムにおいては、一または複数の室外機と複数の室内機とを有する一または複数の空気調和装置が、一台の集中管理装置により集中管理されるよう構成されたものがある。
【０００３】
上述のような空気調和システムは、テナントビル等のように、複数の使用者が混在する環境に設置されることがある。このため、集中管理装置は、各室内機の累積運転時間に基づき、室内機毎に使用電力の按分率を算出し、空気調和装置の電力使用量に上記電力按分率を乗じて、室内機毎に電力使用量及び電力使用料金を算出できるようにしたものがある。このとき、各室内機の使用者には、各室内機を使用した分の電力使用料金が過不足なく計算されて表示される必要がある。
【０００４】
【発明が解決しようとする課題】
ところが、上述のテナントビル等において、空気調和装置が運転されるのは、テナントの使用者が使用する場合のみならず、例えば空気調和システムの設置当初の初期試運転、または定期点検や故障修理等のメンテナンスの際の試運転等のように、テナントの使用者の使用とは無関係な場合がある。
【０００５】
このような、試運転時における室内機の運転時間のデータを室内機毎の使用電力の按分率に算入してしまうと、上述の試運転に要した使用電力をもテナントの使用者が負担しなければならず、適切でない。
【０００６】
本発明の目的は、上述の事情を考慮してなされたものであり、空気調和装置の使用者に、初期試運転時またはメンテナンス試運転時における空気調和装置のエネルギー使用料金が課されることを回避できる空気調和システムを提供することにある。
【０００７】
【課題を解決するための手段】
請求項１に記載の発明は、室外機及び複数の室内機を備えた空気調和装置を、集中管理装置が集中管理する空気調和システムにおいて、上記室内機の使用エネルギーの按分率を算出するために上記各室内機の運転時間の累積が個別にカウントされ、上記空気調和装置のエネルギー使用量を計量するエネルギー計量計の計量値が、集中管理装置と一若しくは複数の空気調和装置とを接続する通信線に配設された各通信アダプタにより累積され、初期試運転時またはメンテナンス試運転時に前記集中管理装置に設けられた累積中断スイッチが操作されることにより、上記各室内機の運転時間の累積、及び、上記空気調和装置のエネルギー使用量の累積が中断されることを特徴とするものである。
【０００８】
請求項２に記載の発明は、請求項１に記載の発明において、上記室内機の運転時間の累積の中断は、集中管理装置と一または複数の空気調和装置とを接続する通信線に配設された各通信アダプタの系統毎に、または全ての空気調和装置に対して一括して実施されることを特徴とするものである。
【００１０】
請求項３に記載の発明は、請求項１または２記載の発明において、上記室内機の運転時間の累積の再開、及び、上記空気調和装置のエネルギー使用量の累積の再開は、集中管理装置に設けられた累積再開スイッチの操作により実施されることを特徴とするものである。
【００１１】
請求項４に記載の発明は、請求項１または２のいずれかに記載の発明において、上記室内機の運転時間の累積の再開、及び、上記空気調和装置のエネルギー使用量の累積の再開は、集中管理装置に設けられた、室内機の運転時間の累積中断の時限式解除機能により実施されることを特徴とするものである。
【００１２】
請求項５に記載の発明は、請求項１乃至４のいずれかに記載の発明において、上記室内機の運転時間の累積は、集中管理装置が全ての室内機の運転時間をカウントすることにより、または、集中管理装置と一若しくは複数の空気調和装置とを接続する通信線に配設された各通信アダプタが、自己の通信アダプタに属する系統の室内機の運転時間をカウントすることにより、または、個々の室内機が、自らの運転時間を個別にカウントすることにより実施されることを特徴とするものである。
【００１４】
請求項６に記載の発明は、請求項１乃至５に記載の発明において、上記エネルギー計量計からの計量値の累積の中断は、集中管理装置と一または複数の空気調和装置とを接続する通信線に配設された各通信アダプタの系統毎に、または全ての上記エネルギー計量計に対して一括して実施されることを特徴とするものである。
【００１８】
請求項７に記載の発明は、請求項１乃至６のいずれかに記載の発明において、上記エネルギーは電力であり、上記エネルギー計量計は、空気調和装置にて使用した電力を計量する電力量計であり、上記集中管理装置は、室内機毎に電力按分率を算出することを特徴とするものである。
【００１９】
請求項１、３または５乃至７のいずれかに記載の発明には、次の作用がある。
【００２０】
室内機の運転時間の累積が中断可能に構成されたことから、空気調和システムの設置当初の初期試運転時、または定期点検や故障修理の際のメンテナンス試運転時に、室内機の運転時間の累積を中断できる。これにより、上記試運転時における室内機の運転時間が、室内機の使用エネルギーの按分率に算入されなくなるので、上記試運転に要したエネルギーの料金を、空気調和装置の使用者に課すことを回避できる。
【００２１】
請求項２に記載の発明には、次の作用がある。
【００２２】
室内機の運転時間の累積の中断が、集中管理装置と一または複数の空気調和装置とを接続する通信線に配設された各通信アダプタの通信系統毎に実施可能に構成されることから、例えば、メンテナンスが実施されていない空気調和装置の室内機の運転時間を累積して、この室内機の使用エネルギーの按分率を算出できるので、空気調和装置の使用者が使用した分のエネルギーの料金を、過不足なく算出することができる。
【００２３】
請求項４に記載の発明には、次の作用がある。
【００２４】
室内機の運転時間の累積の再開が、集中管理装置に設けられた、室内機の運転時間の累積中断の時限式解除機能により実施されることから、集中管理装置に設けられた累積再開スイッチを操作し忘れた場合にも、室内機の運転時間の累積を中断してから一定時間経過後には、室内機の運転時間の累積を再開できる。このため、空気調和装置の使用者が使用した室内機の使用エネルギーの料金を、可能な限り正確に算出できる。
【００２５】
【発明の実施の形態】
以下、本発明の実施の形態を、図面に基づき説明する。
【００２６】
図１は、本発明に係る空気調和システムの一実施の形態を示す系統図である。
【００２７】
この図１に示す空気調和システム１０は、第１空気調和装置１１及び第２空気調和装置１２を第１通信アダプタ２１を介して、第３空気調和装置１３等を第２通信アダプタ２２を介して、それぞれ集中管理装置１５により集中的に管理するよう構成されたものである。
【００２８】
第１空気調和装置１１及び第２空気調和装置１２は、１台の室外機１６に例えば２台の室内機１７及び１８が冷媒配管（不図示）によって連結されて構成される、それぞれマルチタイプの空気調和装置である。第３空気調和装置１３は、１台の室外機１６に例えば３台の室内機１７、１８及び１９が冷媒配管（不図示）によって接続される、マルチタイプの空気調和装置である
上記集中管理装置１５は集中管理通信線２０を介して、第１通信アダプタ２１及び第２通信アダプタ２２に接続される。この第１通信アダプタ２１は、室内外通信線２３を介して、第１空気調和装置１１の室外機１６、室内機１７及び１８、並びに第２空気調和装置１２の室外機１６、室内機１７及び１８に接続される。また、第２通信アダプタ２２は、室内外通信線２４を介して、第３空気調和装置１３の室外機１６、室内機１７、１８及び１９等に接続される。
【００２９】
室内外通信線２３は、第１空気調和装置１１及び第２空気調和装置１２の室外機１６、室内機１７、１８間で空調制御用信号を送受信させて、これらの室外機１６、室内機１７、１８に空調機能を発揮させるものである。また、室内外通信線２４も同様に、第３空気調和装置１３の室外機１６、室内機１７、１８及び１９等間で空調制御用信号を送受信させて、これらの室外機１６、室内機１７、１８及び１９に空調機能を発揮させる。
【００３０】
上記集中管理通信線２０は集中管理信号を、集中管理装置１５から第１通信アダプタ２１を介して第１空気調和装置１１及び第２空気調和装置１２へ、また、第２通信アダプタ２２を介して第３空気調和装置１３へそれぞれ送受信するものである。更に、この集中管理通信線２０は、第１空気調和装置１１及び第２空気調和装置１２から第１通信アダプタ２１を介して、また、第３空気調和装置１３から第２通信アダプタ２２を介して運転状態データ等を集中管理装置１５へ送信する。
【００３１】
ここで、第１通信アダプタ２１、第２通信アダプタ２２は、集中管理装置１５との間で集中管理通信線２０を用いて送受信される信号と、第１空気調和装置１１及び第２空気調和装置１２との間で室内外通信線２３を用いて、第３空気調和装置１３との間で室内外通信線２４を用いてそれぞれ送受信される信号との通信形態を変換する機器である。
【００３２】
上記集中管理装置１５は、操作表示盤２５を用いて、第１通信アダプタ２１を介し第１空気調和装置１１及び第２空気調和装置１２を集中管理するとともに、この第１空気調和装置１１及び第２空気調和装置１２の状態を監視し、また、第２通信アダプタ２２を介し第３空気調和装置１３を集中管理するとともに、この第３空気調和装置１３の状態を監視する。
【００３３】
また、第１空気調和装置１１、第２空気調和装置１２及び第３空気調和装置１３の室内機１７、１８、１９のそれぞれには、リモートコントローラ２６が接続されている。室内機１７、１８、１９は、このリモートコントローラ２６の手動操作によって、運転や停止、設定温度の変更、冷房や暖房などの運転モードが切り換えられる。
【００３４】
ところで、集中管理装置１５は、前述の第１空気調和装置１１、第２空気調和装置１２及び第３空気調和装置１３の集中制御機能及び状態監視機能の他、第１空気調和装置１１、第２空気調和装置１２、第３空気調和装置１３の各室内機１７、１８、１９毎のエネルギー按分率としての電力按分率、及びこの電力按分率に基づく各室内機１７、１８、１９のエネルギー使用料金としての電力使用料金を算出する機能をする。
【００３５】
以下、集中管理装置１５による上記電力按分率及び電力使用料金の算出機能について説明する。
【００３６】
各室内機１７、１８、１９の電力按分率は、各室内機１７、１８、１９の運転時間の累積値に基づいて算出され、この運転時間の累積の方式に集中管理装置カウント方式、通信アダプタカウント方式、室内機カウント方式がある。
【００３７】
上記集中管理装置カウント方式は、集中管理装置１５が全ての室内機１７、１８、１９の運転時間を個別にカウントすることにより、各室内機１７、１８、１９の運転時間の累積値を算出するものである。
【００３８】
上記通信アダプタカウント方式は、第１通信アダプタ２１、第２通信アダプタ２２のそれぞれが、自己の第１通信アダプタ２１、第２通信アダプタ２２に属する通信系統の室内機、例えば、第１通信アダプタ２１の場合には第１空気調和装置１１の室内機１７及び１８並びに第２空気調和装置１２の室内機１７及び１８、また、第１通信アダプタ２１の場合には第３空気調和装置１３の室内機１７、１８及び１９の運転時間を個別にカウントすることにより、各室内機１７、１８、１９の運転時間の累積値を算出する。
【００３９】
上記室内機カウント方式は、個々の室内機１７、１８、１９が、自らの運転時間を個別にカウントすることにより、各室内機１７、１８、１９の運転時間が累積される。
【００４０】
これらの各カウント方式のうち、万一の故障時の危険分散のためには、全ての室内機１７、１８、１９の運転時間の累積を、集中管理装置カウント方式のように集中管理装置１５の一カ所で算出するのではなく、通信アダプタカウント方式のように幾つかのセクション毎に算出し、または、室内機カウント方式のように個々の室内機毎に算出するものが安全である。
【００４１】
集中管理装置１５は、上述の各カウント方式のいずれかによりカウントされた各室内機１７、１８、１９の運転時間の累積値により、各室内機１７、１８、１９の電力按分率を算出する。このとき、集中管理装置１５は、空気調和システム１０の設置当初の初期試運転時、または定期点検や故障修理の際のメンテナンス試運転時には、これらの試運転時における室内機１７、１８、１９の運転時間の累積を中断するよう構成される。
【００４２】
この室内機１７、１８、１９の運転時間の累積の中断は、集中管理装置１５の操作表示盤２５に設置された累積中断スイッチ２７Ａ、２７Ｂの操作により実施される。また、室内機１７、１８、１９の運転時間の累積の再開は、同じく、集中管理装置１５の操作表示盤２５に設置された累積再開スイッチ２８Ａ、２８Ｂの操作により実施される。更に、この運転時間の累積の再開は、当該運転時間の累積が中断されてから所定時間経過後にこの中断を解除する、集中管理装置１５が有する累積中断の時限式解除機能により実施される。
【００４３】
これら室内機１７、１８、１９の運転時間の累積の中断及び累積の再開は、第１通信アダプタ２１、第２通信アダプタ２２毎に、つまり、各第１通信アダプタ２１、第２通信アダプタ２２に属する通信系統毎に実施される。上記累積中断スイッチ２７Ａ、累積再開スイッチ２８Ａは、第１通信アダプタ２１に属する通信系統の室内機１７、１８について運転時間の累積を、それぞれ中断、再開するものであり、また、上記累積中断スイッチ２７Ｂ、累積再開スイッチ２８Ｂは、第２通信アダプタ２２に属する通信系統の室内機１７、１８、１９について運転時間の累積を、それぞれ中断、再開するものである。
【００４４】
一方、各室内機１７、１８、１９の電力使用料金を算出するために、エネルギー計量計としての電力量計２９、３０が、第１空気調和装置１１、第２空気調和装置１２、第３空気調和装置１３のエネルギー使用量としての電力使用量を計量する。つまり、電力量計２９は第１通信アダプタ２１に接続されて、第１空気調和装置１１及び第２空気調和装置１２にて使用された電力使用量を計量する。また、電力量計３０は第２通信アダプタ２２に接続されて、第３空気調和装置１３にて使用された電力使用量を計量する。
【００４５】
この第１通信アダプタ２１は、電力量計２９が計量した電力使用量を集中管理装置１５へ送信し、また、第２通信アダプタ２２は、電力量計３０が計量した電力使用量を集中管理装置１５へ送信する。集中管理装置１５は、これらの電力使用量と、上述のようにして算出した電力按分率と、電力使用量の単位当たりの料金とから、各室内機１７、１８、１９の電力使用料金を算出する。
【００４６】
そして、第１通信アダプタ２１は電力量計２９が、第２通信アダプタ２２は電力量計３０が、それぞれ計量した電力使用量の累積を、上記初期試運転またはメンテナンス試運転時には中断するよう構成される。この第１通信アダプタ２１による第１空気調和装置１１及び第２空気調和装置１２の電力使用量の累積の中断、また、第２通信アダプタ２２による第３空気調和装置１３の電力使用量の累積の中断は、室内機１７、１８、１９の運転時間の累積の中断と同様に、集中管理装置１５に設置された前記累積中断スイッチ２７Ａ、２７Ｂのそれぞれの操作により実施される。
【００４７】
第１通信アダプタ２１による第１空気調和装置１１及び第２空気調和装置１２の電力使用量の累積の再開、また、第２通信アダプタ２２による第３空気調和装置１３の電力使用量の累積の再開も、室内機１７、１８、１９の運転時間の累積再開と同様に、集中管理装置１５に設置された前記累積再開スイッチ２８Ａ、２８Ｂのそれぞれの操作により実施される。更に、この第１通信アダプタ２１、第２通信アダプタ２２による第１空気調和装置１１、第２空気調和装置１２、第３空気調和装置１３の電力使用量の累積の再開は、室内機１７、１８、１９の運転時間の場合と同様に、当該電力使用量の累積の中断から一定時間経過後に、集中管理装置１５が有する累積中断の時限式解除機能により実施される。
【００４８】
上述のように、累積中断スイッチ２７Ａ、累積再開スイッチ２８Ａは、電力量計２９によって計量された、第１通信アダプタ２１に属する第１空気調和装置１１及び第２空気調和装置１２の電力使用量の累積をそれぞれ中断、再開する。また、累積中断スイッチ２７Ｂ、累積再開スイッチ２８Ｂは、電力量計３０によって計量された、第２通信アダプタ２２に属する第３空気調和装置１３の電力使用量の累積をそれぞれ中断、再開する。このように、第１通信アダプタ２１、第２通信アダプタ２２による第１空気調和装置１１、第２空気調和装置１２、第３空気調和装置１３の電力使用量の累積の中断及び再開も、室内機１７、１８、１９の運転時間の場合と同様に、各第１通信アダプタ２１、第２通信アダプタ２２に属する通信系統毎に実施される。
【００４９】
次に、前記室内機１７、１８、１９の運転時間の各累積方式について、この運転時間の累積の中断及び再開と、電力使用量の累積の中断及び再開等を説明する。
【００５０】
集中管理装置カウント方式の場合、
例えば、初期試運転時またはメンテナンス試運転時に、集中管理装置１５の累積中断スイッチ２７Ａが操作されると、集中管理装置１５は、この操作された累積中断スイッチ２７Ａに対応する第１通信アダプタ２１に属する通信系統の第１空気調和装置１１及び第２空気調和装置１２における室内機１７及び１８の運転時間の累積を中断し、更に、累積中断スイッチ２７Ａに対応する第１通信アダプタ２１は、自己に属する通信系統の、電力量計２９により計量される第１空気調和装置１１及び第２空気調和装置１２の電力使用量の累積を中断する。
【００５１】
上述の試運転終了後に、集中管理装置１５の累積再開スイッチ２８Ａが操作されると、集中管理装置１５は、この操作された累積再開スイッチ２８Ａに対応する第１通信アダプタ２１に属する通信系統の室内機１７及び１８の運転時間の累積を再開し、更に、累積再開スイッチ２８Ａに対応する第１通信アダプタ２１は、自己に属する通信系統の、電力量計２９により計量される第１空気調和装置１１及び第２空気調和装置１２の電力使用量の累積を再開する。
【００５２】
また、例えば、初期試運転時またはメンテナンス試運転時に、集中管理装置１５の累積中断スイッチ２７Ｂが操作された時には、集中管理装置１５は、この累積中断スイッチ２７Ｂに対応する第２通信アダプタ２２に属する通信系統の第３空気調和装置１３の室内機１９における運転時間の累積を中断し、更に、累積中断スイッチ２７Ｂに対応する第２通信アダプタ２２は、自己に属する通信系統の、電力量計３０により計量される第３空気調和装置１３の電力使用量の累積を中断する。
【００５３】
また、上述の試運転終了後に、集中管理装置１５の累積再開スイッチ２８Ｂが操作されると、集中管理装置１５は、この操作された累積再開スイッチ２８Ｂに対応する第２通信アダプタ２２に属する通信系統の室内機１９における運転時間の累積を再開し、更に、累積再開スイッチ２８Ｂに対応する第２通信アダプタ２２は、自己に属する通信系統の、電力量計３０により計量される第３空気調和装置１３の電力使用量の累積を再開する。
【００５４】
通信アダプタカウンタ方式の場合
例えば、初期試運転時またはメンテナンス試運転時に、集中管理装置１５の累積中断スイッチ２７Ａが操作されると、集中管理装置１５は、この操作された累積中断スイッチ２７Ａに対応する第１通信アダプタ２１へ、室内機１７及び１８の運転時間の累積を中断するよう指示するコマンドを送信し、この累積の再開を指示するコマンドを送信するまで、この第１通信アダプタ２１に室内機１７及び１８の運転時間の累積を中断させる。と同時に、累積中断スイッチ２７Ａに対応する第１通信アダプタ２１は、自己に属する通信系統の、電力量計２９により計量される第１空気調和装置１１及び第２空気調和装置１２の電力使用量の累積を中断する。
【００５５】
上述の試運転終了後に累積再開スイッチ２８Ａが操作されると、集中管理装置１５は、この操作された累積再開スイッチ２８Ａに対応する第１通信アダプタ２１へ、室内機１７及び１８の運転時間の累積を再開するよう指示するコマンドを送信し、この第１通信アダプタ２１に、室内機１７及び１８の運転時間の累積を再開させる。と同時に、累積再開スイッチ２８Ａに対応する第１通信アダプタ２１は、電力量計２９により計量される第１空気調和装置１１及び第２空気調和装置１２の電力使用量の累積を再開する。
【００５６】
例えば、初期試運転時またはメンテナンス試運転時に、集中管理装置１５の累積中断スイッチ２７Ｂが操作されると、集中管理装置１５は、この操作された累積中断スイッチ２７Ｂに対応する第２通信アダプタ２２へ、室内機１９の運転時間の累積を中断するよう指示するコマンドを送信し、この累積の再開を指示するコマンドを送信するまで、この第２通信アダプタ２２に室内機１９の運転時間の累積を中断させる。と同時に、累積中断スイッチ２７Ｂに対応する第２通信アダプタ２２は、自己に属する通信系統の、電力量計３０により計量される第３空気調和装置１３の電力使用量の累積を中断する。
【００５７】
上述の試運転終了後に累積再開スイッチ２８Ｂが操作されると、集中管理装置１５は、この操作された累積再開スイッチ２８Ｂに対応する第１通信アダプタ２１へ、室内機１９の運転時間の累積を再開するよう指示するコマンドを送信し、この第２通信アダプタ２２に、室内機１９の運転時間の累積を再開させる。と同時に、累積再開スイッチ２８Ｂに対応する第２通信アダプタ２２は、電力量計３０により計量される第３空気調和装置１３の電力使用量の累積を再開する。
【００５８】
室内機カウント方式の場合
例えば、初期試運転時またはメンテナンス試運転時に、集中管理装置１５の累積中断スイッチ２７Ａが操作されると、集中管理装置１５は、この操作された累積中断スイッチ２７Ａに対応する第１通信アダプタ２１に属する通信系統の第１空気調和装置１１及び第２空気調和装置１２における室内機１７及び１８へ、第１通信アダプタ２１を経て、運転時間の累積を中断するよう指示するコマンドを送信し、この累積の再開を指示するコマンドを送信するまで、この室内機１７及び１８に運転時間の累積を中断させる。と同時に、累積中断スイッチ２７Ａに対応する第１通信アダプタ２１は、自己に属する通信系統の、電力量計２９により計量される第１空気調和装置１１及び第２空気調和装置１２の電力使用量の累積を中断する。
【００５９】
上述の試運転終了後に累積再開スイッチ２８Ａが操作されると、集中管理装置１５は、この操作された累積再開スイッチ２８Ａに対応する第１通信アダプタ２１に属する通信系統の室内機１７及び１８へ、第１通信アダプタ２１を経て、運転時間の累積を再開するよう指示するコマンドを送信し、この室内機１７及び１８に運転時間の累積を再開させる。と同時に、累積再開スイッチ２８Ａに対応する第１通信アダプタ２１は、電力量計２９により計量される第１空気調和装置１１及び第２空気調和装置１２の電力使用量の累積を再開する。
【００６０】
例えば、初期試運転時またはメンテナンス試運転時に、集中管理装置１５の累積中断スイッチ２７Ｂが操作されると、集中管理装置１５は、この操作された累積中断スイッチ２７Ｂに対応する第２通信アダプタ２２に属する通信系統の第３空気調和装置１３における室内機１９へ、第２通信アダプタ２２を経て、運転時間の累積を中断するよう指示するコマンドを送信し、この累積の再開を指示するコマンドを送信するまで、室内機１９に運転時間の累積を中断させる。と同時に、累積中断スイッチ２７Ｂに対応する第２通信アダプタ２２は、自己の属する通信系統の、電力量計３０により計量される第３空気調和装置１３の電力使用量の累積を中断する。
【００６１】
上述の試運転終了後に、累積再開スイッチ２８Ｂが操作されると、集中管理装置１５は、この操作された累積再開スイッチ２８Ｂに対応する第２通信アダプタ２２に属する通信系統の室内機１９へ、第２通信アダプタ２２を経て、運転時間の累積を再開するよう指示するコマンドを送信し、この室内機１９に運転時間の累積を再開させる。と同時に、累積再開スイッチ２８Ｂに対応する第２通信アダプタ２２は、電力量計３０により計量される第３空気調和装置１３の電力使用量の累積を再開する。
【００６２】
空気調和システム１０が上述のように構成されたことから、上記実施の形態によれば、次の効果▲１▼〜▲３▼を奏する。
【００６３】
▲１▼室内機１７、１８、１９の運転時間の累積が中断可能に構成されたことから、空気調和システム１０の設置当初の初期試運転時、または定期点検や故障修理の際のメンテナンス試運転時に、室内機１７、１８、１９の運転時間の累積と、電力量計２９、３０により計量される電力使用量の累積等を中断できる。これにより、上記試運転時における室内機１７、１８、１９の運転時間が、室内機１７、１８、１９の使用電力の按分率に算入されなくなり、且つ、上記試運転時における電力使用量がカウントされなくなるので、上記試運転に要した電力使用料金を、第１空気調和装置１１、第２空気調和装置１２、第３空気調和装置１３の各室内機１７、１８、１９の使用者に課すことを回避できる。
【００６４】
▲２▼室内機１７、１８、１９の運転時間の累積の中断が、集中管理装置１５と第１空気調和装置１１、第２空気調和装置１２、第３空気調和装置１３とを接続する通信線（集中管理通信線２０、室内外通信線２３、２４）に配設された第１通信アダプタ２１、第２通信アダプタ２２の通信系統毎に実施されることから、例えばメンテナンスが実施されていない第１空気調和装置１１、第２空気調和装置１２、第３空気調和装置１３の室内機１７、１８、１９の運転時間を累積して、この室内機１７、１８、１９の使用電力の按分率を算出できる。このため、第１空気調和装置１１、第２空気調和装置１２，第３空気調和装置１３の各室内機１７、１８、１９の使用者が使用した分の電力使用料金を、過不足なく算出することができる。
【００６５】
▲３▼室内機１７、１８、１９の運転時間の累積の再開が、集中管理装置１５に設けられた、室内機１７、１８、１９の運転時間の累積中断の時限式解除機能により実施されることから、集中管理装置１５に設けられた累積再開スイッチ２８Ａ、累積再開スイッチ２８Ｂを作業者が操作し忘れた場合にも、室内機１７、１８、１９の運転時間の累積を中断してから一定時間経過後には、第１空気調和装置１１、第２空気調和装置１２、第３空気調和装置１３の室内機１７、１８、１９の運転時間の累積を再開できる。このため、第１空気調和装置１１、第２空気調和装置１２，第３空気調和装置１３の各室内機１７、１８、１９の使用者が使用した電力使用料金を、可能な限り正確に算出できる。
【００６６】
以上、本発明を上記実施の形態に基づいて説明したが、本発明はこれに限定されるものではない。
【００６７】
例えば、上記実施の形態では、累積中断スイッチ２７Ａ、２７Ｂまたは累積再開スイッチ２８Ａ、２８Ｂの操作により室内機１７、１８、１９の運転時間の累積や、電力量計２９、３０により計量される電力使用量の累積が、第１通信アダプタ２１、第２通信アダプタ２２の通信系統毎に中断または再開されるものを述べたが、累積中断スイッチ２７Ａ、２７Ｂまたは累積再開スイッチ２８Ａ、２８Ｂの操作により、上記運転時間の累積が全ての室内機１７、１８及び１９について一括して中断または再開され、上記電力使用量の累積が全ての電力量計２９及び３０について一括して中断または再開されるよう構成されてもよい。
【００６８】
また、集中管理装置１５の操作表示盤２５がタッチパネル付き表示器を備えたものである場合には、累積中断スイッチ２７Ａ、２７Ｂ、累積再開スイッチ２８Ａ、２８Ｂは、この表示器に表示されたスイッチであってもよい。
【００６９】
更に、上記実施の形態では、集中管理装置１５は、第１空気調和装置１１、第２空気調和装置１２、第３空気調和装置１３の各室内機１７、１８、１９についての電力按分率と電力使用料金とを算出するものを述べたが、上記電力按分率のみを求めてもよい。
【００７０】
また、上記実施の形態では、第１空気調和装置１１、第２空気調和装置１２及び第３空気調和装置１３に使用されるエネルギーが電力の場合を述べたが、ガスの場合で、ガス按分率を算出し、ガス計量計にて計量されたガス使用量から室内機１７、１８、１９毎にガス使用量及びガス使用料金を算出するものでもよい。
【００７１】
【発明の効果】
以上のように、本発明に係る空気調和システムによれば、空気調和装置の使用者に、初期試運転時またはメンテナンス試運転時における空気調和装置のエネルギー使用料金が課されることを回避できる。
【図面の簡単な説明】
【図１】本発明に係る空気調和システムの一実施の形態を示す系統図である。
【符号の説明】
１０  空気調和システム
１１  第１空気調和装置
１２  第２空気調和装置
１３  第３空気調和装置
１５  集中管理装置
１７、１８、１９  室内機
２０  集中管理通信線
２１  第１通信アダプタ
２２  第２通信アダプタ
２３、２４  室内外通信線
２７Ａ、２７Ｂ  累積中断スイッチ
２８Ａ、２８Ｂ  累積再開スイッチ
２９、３０  電力量計
【図１】
0004618938.tif 000002